(57)【要約】【課題】ユーザの状態として表示されるプレゼンス情報に応じた電話接続を可能とした電話接続制御装置を提供する。【解決手段】プレゼンスサーバ１は、複数のプレゼンス情報のそれぞれに対応づけられた接続先電話情報の中から、プロキシサーバ３がユーザを指定した電話接続を行う際に表示されているプレゼンス情報に対応づけられた接続先電話情報を選択するとともに、選択された接続先電話情報が示す接続先への電話接続をプロキシサーバ３を制御して行わせるので、ユーザの状態として表示されるプレゼンス情報に応じた電話接続が可能になる。【選択図】      図１
2004304293.tif 000002
【特許請求の範囲】
【請求項１】
ユーザの状態を示すプレゼンス情報と電話接続の接続先を示す接続先情報とが対応づけて記憶される記憶手段と、
前記ユーザを指定した電話接続の際に前記プレゼンス情報が表示されているときは前記接続先情報が示す接続先への電話接続を行わせる接続制御手段と
を備えることを特徴とする電話接続制御装置。
【請求項２】
ユーザの状態を示すものとして取り得る複数のプレゼンス情報のそれぞれに電話接続の接続先を示す接続先情報が対応づけて記憶される記憶手段と、
前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段と
を備えることを特徴とする電話接続制御装置。
【請求項３】
前記複数のプレゼンス情報が示す複数の予定の中で現在行われている予定を示すプレゼンス情報を選択的に表示させる表示制御手段
を備える請求項２記載の電話接続制御装置。
【請求項４】
前記表示制御手段は、前記表示させるプレゼンス情報を該プレゼンス情報に対応づけられた複数の表示先に表示させることを特徴とする請求項３記載の電話接続制御装置。
【請求項５】
前記記憶手段に有効な接続先情報がない場合には、前記選択される接続先情報の要求を行う電話接続装置が当該要求を行わないように設定する電話接続装置設定手段
を備えることを特徴とする請求項２ないし４のいずれかに記載の電話接続制御装置。
【請求項６】
ユーザの状態を示すプレゼンス情報と電話接続の接続先を示す接続先情報とが対応づけて記憶される記憶手段を備える電話接続制御装置が行う電話接続制御方法であって、
前記ユーザを指定した電話接続の際に前記プレゼンス情報が表示されているときは前記接続先情報が示す接続先への電話接続を行わせる
ことを特徴とする電話接続制御方法。
【請求項７】
ユーザの状態を示すものとして取り得る複数のプレゼンス情報のそれぞれに電話接続の接続先を示す接続先情報が対応づけて記憶される記憶手段を備える電話接続制御装置が行う電話接続制御方法であって、
前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる
ことを特徴とする電話接続制御方法。
【請求項８】
前記複数のプレゼンス情報が示す複数の予定の中で現在行われている予定を示すプレゼンス情報を選択的に表示させる
ことを特徴とする請求項７記載の電話接続制御方法。
【請求項９】
前記表示させるプレゼンス情報を該プレゼンス情報に対応づけられた複数の表示先に表示させる
ことを特徴とする請求項８記載の電話接続制御方法。
【請求項１０】
前記記憶手段に有効な接続先情報がない場合には、前記選択される接続先情報の要求を行う電話接続装置が当該要求を行わないように設定することを特徴とする請求項７ないし９のいずれかに記載の電話接続制御方法。
【請求項１１】
コンピュータを、
ユーザの状態を示すプレゼンス情報と電話接続の接続先を示す接続先情報とが対応づけて記憶される記憶手段と、
前記ユーザを指定した電話接続の際に前記プレゼンス情報が表示されているときは前記接続先情報が示す接続先への電話接続を行わせる接続制御手段
として機能させることを特徴とする電話接続制御プログラム。
【請求項１２】
コンピュータを、
ユーザの状態を示すものとして取り得る複数のプレゼンス情報のそれぞれに電話接続の接続先を示す接続先情報が対応づけて記憶される記憶手段と、
前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段
として機能させることを特徴とする電話接続制御プログラム。
【請求項１３】
前記コンピュータを、
前記複数のプレゼンス情報が示す複数の予定の中で現在行われている予定を示すプレゼンス情報を選択的に表示させる表示制御手段
として機能させることを特徴とする請求項１２記載の電話接続制御プログラム。
【請求項１４】
前記表示制御手段は、前記表示させるプレゼンス情報を該プレゼンス情報に対応づけられた複数の表示先に表示させることを特徴とする請求項１３記載の電話接続制御プログラム。
【請求項１５】
前記コンピュータを、
前記記憶手段に有効な接続先情報がない場合には、前記選択される接続先情報の要求を行う電話接続装置が当該要求を行わないように設定する電話接続装置設定手段
として機能させることを特徴とする請求項１２ないし１４のいずれかに記載の電話接続制御プログラム。
【請求項１６】
コンピュータを、
ユーザの状態を示すプレゼンス情報と電話接続の接続先を示す接続先情報とが対応づけて記憶される記憶手段と、
前記ユーザを指定した電話接続の際に前記プレゼンス情報が表示されているときは前記接続先情報が示す接続先への電話接続を行わせる接続制御手段と
として機能させることを特徴とする電話接続制御プログラムを格納した記録媒体。
【請求項１７】
コンピュータを、
ユーザの状態を示すものとして取り得る複数のプレゼンス情報のそれぞれに電話接続の接続先を示す接続先情報が対応づけて記憶される記憶手段と、
前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段と
として機能させることを特徴とする電話接続制御プログラムを格納した記録媒体。
【請求項１８】
前記コンピュータを、
前記複数のプレゼンス情報が示す複数の予定の中で現在行われている予定を示すプレゼンス情報を選択的に表示させる表示制御手段
として機能させることを特徴とする請求項１７記載の電話接続制御プログラムを格納した記録媒体。
【請求項１９】
前記表示制御手段は、前記表示させるプレゼンス情報を該プレゼンス情報に対応づけられた複数の表示先に表示させることを特徴とする請求項１８記載の電話接続制御プログラムを格納した記録媒体。
【請求項２０】
前記コンピュータを、
前記記憶手段に有効な接続先情報がない場合には、前記選択される接続先情報の要求を行う電話接続装置が当該要求を行わないように設定する電話接続装置設定手段
として機能させることを特徴とする請求項１７ないし１９のいずれかに記載の電話接続制御プログラムを格納した記録媒体。
【発明の詳細な説明】
【０００１】
【発明の属する技術分野】
本発明は、ユーザの状態として表示されるプレゼンス情報に応じた電話接続を可能とした電話接続制御装置等に関する。
【０００２】
【従来の技術】
従来より、要求された着側の電話機とは異なる電話機に発側の電話機を接続できる電話システムが利用されてきた。
【０００３】
図９は、かかる電話システムの動作説明図である。
【０００４】
プロキシサーバ３Ａは、例えばユーザＢについて、ある時間帯には電話機２２に接続するように設定されている。
【０００５】
ユーザＡに操作された電話機２１が、ユーザＢを指定してある時刻にプロキシサーバ３Ａに接続要求すると、プロキシサーバ３Ａは、当該時刻がユーザＢについて設定された前記時間帯に属する場合は、電話機２２に電話機２１を接続する。類似の技術が下記の非特許文献１に開示されている。
【０００６】
【非特許文献１】
ｈｔｔｐ：／／ｗｗｗ．ｉｅｔｆ．ｏｒｇ／ｒｆｃ／ｒｆｃ３２６１．ｔｘｔ？ｎｕｍｂｅｒ＝３２６１
【０００７】
【発明が解決しようとする課題】
その一方で、近年における電話機はそのユーザの状態を示すプレゼンス情報を表示できるようになってきた。例えば、ユーザが電話機に会議中というプレゼンス情報の設定を行えば、他の電話機に会議中と表示されるので、表示された電話機のユーザは、当該表示が消えた後に発信するという使い方ができる。
【０００８】
しかしながら、プレゼンスの設定と接続先の設定とは、関連づけられていないので、例えば、プレゼンスを会議中と設定しているのに、自宅に接続されるという不都合が発生する。
【０００９】
そこで本発明は、上記の従来の課題に鑑みてなされたものであり、その目的とするところは、ユーザの状態として表示されるプレゼンス情報に応じた電話接続を可能とした電話接続制御装置、電話接続制御方法、電話接続制御プログラム及び電話接続制御プログラムを格納した記録媒体を提供することにある。
【００１０】
【課題を解決するための手段】
上記従来の課題を解決するために、請求項１の本発明は、ユーザの状態を示すプレゼンス情報と電話接続の接続先を示す接続先情報とが対応づけて記憶される記憶手段と、前記ユーザを指定した電話接続の際に前記プレゼンス情報が表示されているときは前記接続先情報が示す接続先への電話接続を行わせる接続制御手段とを備えることを特徴とする電話接続制御装置をもって解決手段とする。
【００１１】
この請求項１の本発明によれば、ユーザの状態を示すプレゼンス情報と電話接続の接続先を示す接続先情報とが対応づけて記憶される記憶手段と、ユーザを指定した電話接続の際にプレゼンス情報が表示されているときは接続先情報が示す接続先への電話接続を行わせる接続制御手段とを備えるので、ユーザの状態として表示されるプレゼンス情報に応じた電話接続が可能になる。
【００１２】
請求項２の本発明は、ユーザの状態を示すものとして取り得る複数のプレゼンス情報のそれぞれに電話接続の接続先を示す接続先情報が対応づけて記憶される記憶手段と、前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段とを備えることを特徴とする電話接続制御装置をもって解決手段とする。
【００１３】
この請求項２の本発明によれば、ユーザの状態を示すものとして取り得る複数のプレゼンス情報のそれぞれに電話接続の接続先を示す接続先情報が対応づけて記憶される記憶手段と、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせる接続制御手段とを備えるので、ユーザの状態として表示されるプレゼンス情報に応じた電話接続が可能になる。
【００１４】
請求項３の本発明は、前記複数のプレゼンス情報が示す複数の予定の中で現在行われている予定を示すプレゼンス情報を選択的に表示させる表示制御手段を備える請求項２記載の電話接続制御装置をもって解決手段とする。
【００１５】
この請求項３の本発明によれば、複数のプレゼンス情報が示す複数の予定の中で現在行われている予定を示すプレゼンス情報を選択的に表示させる表示制御手段を備えるので、ユーザの状態として表示されるプレゼンス情報に応じた電話接続が可能になり、さらに現在行われている予定に応じたプレゼンス情報を表示させることが可能となる。
【００１６】
請求項４の本発明は、前記表示制御手段は、前記表示させるプレゼンス情報を該プレゼンス情報に対応づけられた複数の表示先に表示させることを特徴とする請求項３記載の電話接続制御装置をもって解決手段とする。
【００１７】
この請求項４の本発明によれば、表示制御手段は、表示させるプレゼンス情報を該プレゼンス情報に対応づけられた複数の表示先に表示させるので、さらに複数の表示先で当該ユーザの状態を知ることができる。
【００１８】
請求項５の本発明は、前記記憶手段に有効な接続先情報がない場合には、前記選択される接続先情報の要求を行う電話接続装置が当該要求を行わないように設定する電話接続装置設定手段を備えることを特徴とする請求項２ないし４のいずれかに記載の電話接続制御装置をもって解決手段とする。
【００１９】
この請求項５の本発明によれば、記憶手段に有効な接続先情報がない場合には、選択される接続先情報の要求を行う電話接続装置が当該要求を行わないように設定する電話接続装置設定手段を備えるので、さらに電話接続装置により接続先情報の要求が無駄に行われるのを防止できる。
【００２０】
請求項６の本発明は、ユーザの状態を示すプレゼンス情報と電話接続の接続先を示す接続先情報とが対応づけて記憶される記憶手段を備える電話接続制御装置が行う電話接続制御方法であって、前記ユーザを指定した電話接続の際に前記プレゼンス情報が表示されているときは前記接続先情報が示す接続先への電話接続を行わせることを特徴とする電話接続制御方法をもって解決手段とする。
【００２１】
この請求項６の本発明によれば、ユーザの状態を示すプレゼンス情報と電話接続の接続先を示す接続先情報とが対応づけて記憶される記憶手段を備える電話接続制御装置が、ユーザを指定した電話接続の際にプレゼンス情報が表示されているときは接続先情報が示す接続先への電話接続を行わせるので、ユーザの状態として表示されるプレゼンス情報に応じた電話接続が可能になる。
【００２２】
請求項７の本発明は、ユーザの状態を示すものとして取り得る複数のプレゼンス情報のそれぞれに電話接続の接続先を示す接続先情報が対応づけて記憶される記憶手段を備える電話接続制御装置が行う電話接続制御方法であって、前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせることを特徴とする電話接続制御方法をもって解決手段とする。
【００２３】
この請求項７の本発明によれば、ユーザの状態を示すものとして取り得る複数のプレゼンス情報のそれぞれに電話接続の接続先を示す接続先情報が対応づけて記憶される記憶手段を備える電話接続制御装置が、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせるので、ユーザの状態として表示されるプレゼンス情報に応じた電話接続が可能になる。
【００２４】
請求項８の本発明は、前記複数のプレゼンス情報が示す複数の予定の中で現在行われている予定を示すプレゼンス情報を選択的に表示させることを特徴とする請求項７記載の電話接続制御方法をもって解決手段とする。
【００２５】
この請求項８の本発明によれば、複数のプレゼンス情報が示す複数の予定の中で現在行われている予定を示すプレゼンス情報を選択的に表示させるので、ユーザの状態として表示されるプレゼンス情報に応じた電話接続が可能になり、さらに現在行われている予定に応じたプレゼンス情報を表示させることが可能となる。
【００２６】
請求項９の本発明は、前記表示させるプレゼンス情報を該プレゼンス情報に対応づけられた複数の表示先に表示させることを特徴とする請求項８記載の電話接続制御方法をもって解決手段とする。
【００２７】
この請求項９の本発明によれば、表示させるプレゼンス情報を該プレゼンス情報に対応づけられた複数の表示先に表示させるので、さらに複数の表示先で当該ユーザの状態を知ることができる。
【００２８】
請求項１０の本発明は、前記記憶手段に有効な接続先情報がない場合には、前記選択される接続先情報の要求を行う電話接続装置が当該要求を行わないように設定することを特徴とする請求項７ないし９のいずれかに記載の電話接続制御方法をもって解決手段とする。
【００２９】
この請求項１０の本発明によれば、記憶手段に有効な接続先情報がない場合には、選択される接続先情報の要求を行う電話接続装置が当該要求を行わないように設定するので、さらに電話接続装置により接続先情報の要求が無駄に行われるのを防止できる。
【００３０】
請求項１１の本発明は、コンピュータを、ユーザの状態を示すプレゼンス情報と電話接続の接続先を示す接続先情報とが対応づけて記憶される記憶手段と、前記ユーザを指定した電話接続の際に前記プレゼンス情報が表示されているときは前記接続先情報が示す接続先への電話接続を行わせる接続制御手段として機能させることを特徴とする電話接続制御プログラムをもって解決手段とする。
【００３１】
この請求項１１の本発明によれば、コンピュータを、ユーザの状態を示すプレゼンス情報と電話接続の接続先を示す接続先情報とが対応づけて記憶される記憶手段と、ユーザを指定した電話接続の際に前記プレゼンス情報が表示されているときは前記接続先情報が示す接続先への電話接続を行わせる接続制御手段として機能させるので、この電話接続制御プログラムによりユーザの状態として表示されるプレゼンス情報に応じた電話接続が可能になり、しかもその流通性を高めることができる。
【００３２】
請求項１２の本発明は、コンピュータを、ユーザの状態を示すものとして取り得る複数のプレゼンス情報のそれぞれに電話接続の接続先を示す接続先情報が対応づけて記憶される記憶手段と、前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段として機能させることを特徴とする電話接続制御プログラムをもって解決手段とする。
【００３３】
この請求項１２の本発明によれば、コンピュータを、ユーザの状態を示すものとして取り得る複数のプレゼンス情報のそれぞれに電話接続の接続先を示す接続先情報が対応づけて記憶される記憶手段と、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせる接続制御手段として機能させるので、この電話接続制御プログラムによりユーザの状態として表示されるプレゼンス情報に応じた電話接続が可能になり、しかもその流通性を高めることができる。
【００３４】
請求項１３の本発明は、前記コンピュータを、前記複数のプレゼンス情報が示す複数の予定の中で現在行われている予定を示すプレゼンス情報を選択的に表示させる表示制御手段として機能させることを特徴とする請求項１２記載の電話接続制御プログラムをもって解決手段とする。
【００３５】
この請求項１３の本発明によれば、コンピュータを、複数のプレゼンス情報が示す複数の予定の中で現在行われている予定を示すプレゼンス情報を選択的に表示させる表示制御手段として機能させるので、この電話接続制御プログラムによりユーザの状態として表示されるプレゼンス情報に応じた電話接続が可能になり、さらに現在行われている予定に応じたプレゼンス情報を表示させることが可能となり、しかもその流通性を高めることができる。
【００３６】
請求項１４の本発明は、前記表示制御手段は、前記表示させるプレゼンス情報を該プレゼンス情報に対応づけられた複数の表示先に表示させることを特徴とする請求項１３記載の電話接続制御プログラムをもって解決手段とする。
【００３７】
この請求項１４の本発明によれば、表示制御手段は、表示させるプレゼンス情報を該プレゼンス情報に対応づけられた複数の表示先に表示させるので、この電話接続制御プログラムにより、さらに複数の表示先で当該ユーザの状態を知ることができ、しかもその流通性を高めることができる。
【００３８】
請求項１５の本発明は、前記コンピュータを、前記記憶手段に有効な接続先情報がない場合には、前記選択される接続先情報の要求を行う電話接続装置が当該要求を行わないように設定する電話接続装置設定手段として機能させることを特徴とする請求項１２ないし１４のいずれかに記載の電話接続制御プログラムをもって解決手段とする。
【００３９】
この請求項１５の本発明によれば、コンピュータを、記憶手段に有効な接続先情報がない場合には、選択される接続先情報の要求を行う電話接続装置が当該要求を行わないように設定する電話接続装置設定手段として機能させるので、この電話接続制御プログラムにより、さらに電話接続装置により接続先情報の要求が無駄に行われるのを防止でき、しかもその流通性を高めることができる。
【００４０】
請求項１６の本発明は、コンピュータを、ユーザの状態を示すプレゼンス情報と電話接続の接続先を示す接続先情報とが対応づけて記憶される記憶手段と、前記ユーザを指定した電話接続の際に前記プレゼンス情報が表示されているときは前記接続先情報が示す接続先への電話接続を行わせる接続制御手段として機能させることを特徴とする電話接続制御プログラムを格納した記録媒体をもって解決手段とする。
【００４１】
この請求項１６の本発明によれば、コンピュータを、ユーザの状態を示すプレゼンス情報と電話接続の接続先を示す接続先情報とが対応づけて記憶される記憶手段と、前記ユーザを指定した電話接続の際に前記プレゼンス情報が表示されているときは前記接続先情報が示す接続先への電話接続を行わせる接続制御手段として機能させることを特徴とする電話接続制御プログラムを格納したので、この記録媒体によりユーザの状態として表示されるプレゼンス情報に応じた電話接続が可能になり、しかもその流通性を高めることができる。
【００４２】
請求項１７の本発明は、コンピュータを、ユーザの状態を示すものとして取り得る複数のプレゼンス情報のそれぞれに電話接続の接続先を示す接続先情報が対応づけて記憶される記憶手段と、前記複数のプレゼンス情報のそれぞれに対応づけられた接続先情報の中から前記ユーザを指定した電話接続の際に表示されているプレゼンス情報に対応づけられた接続先情報を選択するとともに該選択された接続先情報が示す接続先への電話接続を行わせる接続制御手段として機能させることを特徴とする電話接続制御プログラムを格納した記録媒体をもって解決手段とする。
【００４３】
この請求項１７の本発明によれば、コンピュータを、ユーザの状態を示すものとして取り得る複数のプレゼンス情報のそれぞれに電話接続の接続先を示す接続先情報が対応づけて記憶される記憶手段と、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせる接続制御手段として機能させることを特徴とする電話接続制御プログラムを格納したので、この記録媒体によりユーザの状態として表示されるプレゼンス情報に応じた電話接続が可能になり、しかもその流通性を高めることができる。
【００４４】
請求項１８の本発明は、前記コンピュータを、前記複数のプレゼンス情報が示す複数の予定の中で現在行われている予定を示すプレゼンス情報を選択的に表示させる表示制御手段として機能させることを特徴とする請求項１７記載の電話接続制御プログラムを格納した記録媒体をもって解決手段とする。
【００４５】
この請求項１８の本発明によれば、コンピュータを、複数のプレゼンス情報が示す複数の予定の中で現在行われている予定を示すプレゼンス情報を選択的に表示させる表示制御手段として機能させることを特徴とする電話接続制御プログラムを格納したので、この記録媒体によりユーザの状態として表示されるプレゼンス情報に応じた電話接続が可能になり、さらに現在行われている予定に応じたプレゼンス情報を表示させることが可能となり、しかもその流通性を高めることができる。
【００４６】
請求項１９の本発明は、前記表示制御手段は、前記表示させるプレゼンス情報を該プレゼンス情報に対応づけられた複数の表示先に表示させることを特徴とする請求項１８記載の電話接続制御プログラムを格納した記録媒体をもって解決手段とする。
【００４７】
この請求項１９の本発明によれば、表示制御手段は、表示させるプレゼンス情報を該プレゼンス情報に対応づけられた複数の表示先に表示させるので、この記録媒体により、さらに複数の表示先で当該ユーザの状態を知ることができ、しかもその流通性を高めることができる。
【００４８】
請求項２０の本発明は、前記コンピュータを、前記記憶手段に有効な接続先情報がない場合には、前記選択される接続先情報の要求を行う電話接続装置が当該要求を行わないように設定する電話接続装置設定手段として機能させることを特徴とする請求項１７ないし１９のいずれかに記載の電話接続制御プログラムを格納した記録媒体をもって解決手段とする。
【００４９】
この請求項２０の本発明によれば、コンピュータを、記憶手段に有効な接続先情報がない場合には、選択される接続先情報の要求を行う電話接続装置が当該要求を行わないように設定する電話接続装置設定手段として機能させるので、この記録媒体により、さらに電話接続装置により接続先情報の要求が無駄に行われるのを防止でき、しかもその流通性を高めることができる。
【００５０】
【発明の実施の形態】
以下、本発明の実施の形態を図面を参照して説明する。
【００５１】
図１は、本発明を適用した電話システムの構成を示す図である。
【００５２】
プレゼンスサーバ１は、本発明の電話接続制御方法を実行する電話接続制御装置に相当するコンピュータであり、電話機２１，２２及び２３や図示しない他の電話機に、これら電話機を利用してログオンしたユーザの状態を示すプレゼンス情報を表示させるように構成されている。一方、電話接続装置であるプロキシサーバ３は、電話機同士に通話のためのリンクを形成して（以下、接続という）してユーザ同士が通話できるように構成されている。
【００５３】
電話機２１等には、該電話機に固有のアドレス（ＩＰアドレス等）が割り当てられている。特に電話機能には各電話機に共通なポート番号が割り当てられている。また、電話機は、プレゼンス情報の表示等の機能を備えていて、当該表示等の機能には各電話機に共通であって電話機能のものとは異なるポート番号が割り当てられている。したがって、各電話機に対しては、アドレスとポート番号を指定すれば接続でき、また、プレゼンス情報等を表示させたりすることができる。
【００５４】
なお、電話機２１等の電話機はパーソナルコンピュータで構成されることも多い。また、プレゼンス情報とは、次に表示すべきプレゼンス情報が生成されるまでは継続的に表示される情報である。
【００５５】
図２は、プレゼンスサーバ１の構成を示す図である。
【００５６】
プレゼンスサーバ１は、４つのデータベース、すなわちユーザデータベース１０１、予定データベース１０２、接続先データベース１０３及びグループデータベース１０４を備える。
【００５７】
図３は、当該各データベースの構成を示す図である。
【００５８】
図３（ａ）に示すように、ユーザデータベース１０１は、１人のユーザを一意に示す識別情報であるユーザＩＤと当該ユーザからの指定等により設定されたパスワードと当該ユーザの現在の状態を示す現プレゼンス情報と当該ユーザが当該ユーザＩＤ等を使用して認証を受けたときのアドレス及びポート番号からなるログオンアドレス情報とを含むレコードが各ユーザについて記憶される固定磁気記憶装置等の（以下同様である）記憶領域である。
【００５９】
図３（ｂ）に示すように、予定データベース１０２は、１人のユーザについての情報を備えた表を各ユーザについて保持する記憶領域である。各表は、該表が情報を格納すべきユーザについて予定された事柄（予定）の予定名、当該予定の開始時刻及び終了時刻、当該予定名をプレゼンスとして通知すべき場合には要、通知すべきでないときには否に設定されるプレゼンス通知要否、当該予定名を通知されるユーザの属するグループを一意に示す識別情報であるグループＩＤを通知先グループＩＤとしてそれぞれに含む１以上の列と、当該ユーザのユーザＩＤとを含むように設定される。
【００６０】
図３（ｃ）に示すように、接続先データベース１０３は、１人のユーザについての情報を備えた表を各ユーザについて保持する記憶領域である。各表は、当該ユーザについて取り得る１つプレゼンスを示すプレゼンス情報と、該プレゼンス情報が表示されているときの当該ユーザを指定した接続要求で接続すべきときには要、そうでないときには否に設定される情報である接続要否と、該接続要否が要であるときの接続先の電話機のアドレス及び電話機能のポート番号からなる接続先電話情報（接続先情報ともいう）を含む１以上の列と、当該ユーザのユーザＩＤとを含むように設定される。
【００６１】
図３（ｄ）に示すように、グループデータベース１０４は、１つのグループのグループＩＤと当該グループに属する１以上のユーザのユーザＩＤと含むレコードが各グループについて予め記憶された記憶領域である。
【００６２】
図２に戻って説明する。
【００６３】
プレゼンスサーバ１は、電話機２１等からユーザＩＤとパスワードに続けて送信された接続先電話情報、予定名等の情報を予定データベース１０２、接続先データベース１０３及びグループデータベース１０４に設定するデータベース設定部１０５と、データベース設定部１０５が受信したユーザＩＤとパスワードとを含むレコードがユーザデータベース１０１にあればデータベース設定部１０５に設定許可等を行う認証部１０６と、プロキシサーバ３に接続設定要求または接続設定削除要求を行うプロキシ設定部１０７と、電話機２１等から通知されたプレゼンス情報を、または、予定データベース１０２の予定名をプレゼンス情報としてユーザデータベース１０１に設定するとともに、当該プレゼンス情報を他の電話機に通知する要求を行い、さらには接続先通知要求（イベント）に対して応答すべき接続先電話情報を検索するプレゼンス制御部１０８と、プレゼンス制御部１０８から要求されたプレゼンス情報の電話機への通知を行うプレゼンス通知部１０９と、プロキシサーバ３からの接続先通知要求を受信してプレゼンス制御部１０８に転送するイベント受信部１１０と、プレゼンス制御部１０８が検索した接続先電話情報をプロキシサーバ３に通知する接続先通知部１１１とを備える。
【００６４】
次にプレゼンスサーバ１の動作を説明する。
【００６５】
図４は、各データベースの設定の際の動作を説明するシーケンスである。まず、データベース管理者等がユーザデータベース１０１のユーザＩＤとパスワードを設定する。
【００６６】
データベース設定部１０５は、ステップＳ１で電話機等から電話機２１等からユーザＩＤとパスワードが到来すると、これらを認証部１０６へ認証要求（ステップＳ３）とともに渡し、認証部１０６は当該ユーザＩＤとパスワードがユーザデータベース１０１にあれば、当該ユーザＩＤ等を含むレコードに当該ユーザＩＤの送信元である電話機のアドレス及び表示等の機能のポート番号からなるログオンアドレス情報を設定するとともにデータベース設定部１０５に設定許可を行う（ステップＳ５）。
【００６７】
設定許可を得たデータベース設定部１０５は、当該電話機２１等から続けて送信される接続先電話情報、予定名等の情報を基にデータベース１０１〜１０４を図３に例示すように設定する（ステップＳ７）。
【００６８】
そしてデータベース設定部１０５は、当該ユーザＩＤを含む接続先データベース１０３の表に、転送要否が要である列が１以上ある場合は、当該ユーザＩＤを含む接続設定要求を、一方、当該ユーザＩＤを含む表に、転送要否が要である列がない場合は、当該ユーザＩＤを含む接続設定削除要求をプロキシ設定部１０７に渡し（ステップＳ９）、プロキシ設定部１０７は渡された接続設定要求または接続設定削除要求をプロキシサーバ３に送信する（ステップＳ１１）。
【００６９】
図５は、プロキシサーバ３に設けられたデータベースを示す図である。
【００７０】
プロキシサーバ３は、１人のユーザのユーザＩＤと当該ユーザについて予め設定された接続先のアドレス及び電話機能のポート番号からなる接続先電話情報とプレゼンスサーバ１に接続先通知要求（イベント）を送信すべきときには要、送信すべきでないときには否に設定されるイベント要否とを含むレコードを各ユーザについて保持するデータベースを固定磁気記憶装置等に備えている。
【００７１】
プロキシサーバ３は、図４で説明したプレゼンスサーバ１からの接続設定要求または接続設定削除要求が到来したときは、当該データベースから当該要求に含まれるユーザＩＤを含むレコードを検索し、当該要求が接続設定要求の場合は当該検索したレコードのイベント要否を要に設定する一方、当該要求が接続設定削除要求の場合は当該検索したレコードのイベント要否を否に設定する。
【００７２】
図６は、プレゼンスサーバ１が継続的に行う処理のフローチャートである。
【００７３】
プレゼンス制御部１０８は、電話機２１等からユーザＩＤとプレゼンス情報が到来する（ステップＳ２１：ＹＥＳ）と、当該ユーザＩＤを含むユーザデータベース１０１のレコードの現プレゼンス情報として当該到来したプレゼンス情報を設定する（ステップＳ２３）。
【００７４】
プレゼンス制御部１０８は、グループデータベース１０４から当該到来したユーザＩＤを含むレコードを検索し、当該レコードに含まれる他の各ユーザＩＤを取得する（ステップＳ２５）。そして、プレゼンス制御部１０８は、当該取得した他の各ユーザＩＤと当該到来したユーザＩＤとプレゼンス情報とをプレゼンス通知部１０９に渡す。
【００７５】
プレゼンス通知部１０９は、当該渡された他の各ユーザＩＤを含むユーザデータベース１０１の各レコードを検索し（ステップＳ２７）、当該各レコードの各ログオンアドレス情報を通知先に指定して当該渡された到来したユーザＩＤとプレゼンス情報を電話機２１等に通知し（ステップＳ２９）、その後、再びユーザＩＤとプレゼンス情報が到来を監視する（ステップＳ２１）。
【００７６】
各電話機は、自身に通知されたユーザＩＤとプレゼンス情報とを組にして表示する。
【００７７】
したがって、電話機２１等を使用するユーザが当該電話機２１等に任意のタイミングで設定した状態を他の電話機２２等に表示させることができる。
【００７８】
図７は、プレゼンスサーバ１が継続的に行う他の処理のフローチャートである。プレゼンス制御部１０８は、予定データベース１０２から１つの列、好ましくは選択された回数の少ない１つの列を選択する（ステップＳ４１）。次に、現在時刻が当該選択した列の開始時刻と終了時刻との間にあるか否かを判定する（ステップＳ４３）。ＮＯと判定されたときは、ステップＳ４１へ戻る。
【００７９】
ステップＳ４３でＹＥＳと判定されたときは、当該選択した予定データベース１０２の列を含む表のユーザＩＤを含むユーザデータベース１０１のレコードの現プレゼンス情報として当該選択した列の予定名を設定する（ステップＳ４４）。そして選択した列のプレゼンス通知要否の値を判定する（ステップＳ４５）。プレゼンス通知要否が否である場合は、ステップＳ４１へ戻る。
【００８０】
ステップＳ４３で、プレゼンス通知要否が要と判定されたときは、プレゼンス制御部１０８は、選択した列の通知先グループＩＤを取得し、該取得した通知先グループＩＤを含むグループデータベース１０４のレコードに含まれる他の各ユーザＩＤを取得し（ステップＳ４７）、該他の各ユーザＩＤと当該選択した列を含む表に含まれるユーザＩＤと、当該選択した列に含まれる予定名とをプレゼンス通知部１０９に渡す。
【００８１】
プレゼンス通知部１０９は、渡された他の各ユーザＩＤを含むユーザデータベース１０１の各レコードを取得し（ステップＳ４９）、該各レコードの各ログオンアドレス情報を通知先に指定して当該渡された予定名をプレゼンス情報として、渡された表に含まれるユーザＩＤとともに通知し（ステップＳ５１）、ステップＳ４１へ戻る。
【００８２】
各電話機は、自身に通知されたユーザＩＤとプレゼンス情報とを組にして表示する。
【００８３】
したがって、電話機２１等を使用するユーザ等が予め設定した予定名を他の電話機２２等といった複数の電話機へユーザの状態として表示させることができる。
【００８４】
図８は、接続要求を受けたプロキシサーバ３とプレゼンスサーバ１の動作を示すシーケンス図である。
【００８５】
プロキシサーバ３は、電話機２１等から接続先電話情報を含む接続要求を受ける（ステップＳ５０）と、図５のデータベースの当該接続先電話情報を含むレコードのイベント要否が否である場合は、当該接続要求を行った電話機２１等をと当該接続先電話情報が示す電話機２２等に接続する（ステップＳ５１）。
【００８６】
一方、図５のデータベースの当該接続先電話情報を含むレコードのイベント要否が要である場合は、当該接続先電話情報を含む接続先通知要求（イベント）をプレゼンスサーバ１に送信するとともに接続先電話情報の応答を待つ（ステップＳ５３）。
【００８７】
プレゼンスサーバ１のイベント受信部１１０は、プロキシサーバ３からの接続先通知要求（イベント）を受信し、該接続先通知要求に含まれる接続先電話情報をプレゼンス制御部１０８に渡す（ステップＳ５５）。
【００８８】
プレゼンス制御部１０８は、渡された接続先電話情報のアドレスが含まれたログオンアドレス情報を含むユーザデータベース１０１のレコードのユーザＩＤと現プレゼンス情報を取得する（ステップＳ５７）。
【００８９】
プレゼンス制御部１０８は、取得したユーザＩＤを含む接続先データベース１０３の表から当該取得した現プレゼンス情報をプレゼンス情報として含む列を選択する（ステップＳ５９）。
【００９０】
選択した列の接続要否が否の場合は、プレゼンス制御部１０８は接続先通知部１１１を制御して、プロキシサーバ３に接続先電話情報がない旨を通知させる（ステップＳ６１）。
【００９１】
一方、選択した列の接続要否が要の場合は、プレゼンス制御部１０８は接続先通知部１１１に対し、当該選択した列の接続先電話情報を渡す（ステップＳ６３）。接続先通知部１１１は、渡された接続先電話情報をプロキシサーバ３に送信する（ステップＳ６５）。
【００９２】
プロキシサーバ３は、接続先電話情報がない旨を通知されたときは、当該接続要求を行った電話機２１等を当初の接続先電話情報が示す電話機２２等に接続する（ステップＳ６７）。
【００９３】
一方、プロキシサーバ３は、接続先電話情報が応答されたときは、接続要求を行った電話機２１等を当該接続先電話情報が示す電話機２３等に接続する（ステップＳ６９）。
【００９４】
以上説明したように、本発明を適用したプレゼンスサーバ１によれば、ユーザの状態を示すものとして取り得る複数のプレゼンス情報のそれぞれに電話接続の接続先を示す接続先情報が対応づけて記憶される記憶手段である接続先データベース１０３と、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせる接続制御手段であるプレゼンス制御部１０８とを備えるので、ユーザの状態として表示されるプレゼンス情報に応じた電話接続が可能になる。
【００９５】
また、プレゼンス制御部１０８は、複数のプレゼンス情報が示す複数の予定の中で現在行われている予定を示すプレゼンス情報を選択的に表示させる表示制御手段でもあるので、ユーザの状態として表示されるプレゼンス情報に応じた電話接続が可能になり、さらに現在行われている予定に応じたプレゼンス情報を表示させることが可能となる。
【００９６】
また、プレゼンス制御部１０８（表示制御手段）は、表示させるプレゼンス情報を該プレゼンス情報に対応づけられた複数の表示先に表示させるので、さらに複数の表示先で当該ユーザの状態を知ることができる。
【００９７】
また、接続先データベース１０３に有効な接続先情報、つまり同じ列の接続要否が要である接続先情報がない場合には、電話接続装置であるプロキシサーバ３が接続先通知要求（イベント）を行わないように設定する電話接続装置設定手段としてデータベース設定部１０５及びプロキシ設定部１０７を備えるので、さらに電話接続装置により接続先情報の要求が無駄に行われるのを防止できる。
【００９８】
なお、上記説明したプレゼンスサーバ１としてコンピュータを機能させるコンピュータプログラムである電話接続制御プログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００９９】
【発明の効果】
以上説明したように、本発明によれば、複数のプレゼンス情報のそれぞれに対応づけられた接続先情報の中からユーザを指定した電話接続の際に表示されているプレゼンス情報に対応づけられた接続先情報を選択するとともに該選択された接続先情報が示す接続先への電話接続を行わせるので、ユーザの状態として表示されるプレゼンス情報に応じた電話接続が可能になる。
【０１００】
また、複数のプレゼンス情報が示す複数の予定の中で現在行われている予定を示すプレゼンス情報を選択的に表示させるので、さらに現在行われている予定に応じたプレゼンス情報を表示させることが可能となる。
【０１０１】
また、表示させるプレゼンス情報を該プレゼンス情報に対応づけられた複数の表示先に表示させるので、さらに複数の表示先で当該ユーザの状態を知ることができる。
【０１０２】
また、有効な接続先情報がない場合には、電話接続装置が接続先情報の要求を行わないように設定するので、さらに電話接続装置により接続先情報の要求が無駄に行われるのを防止できる。
【図面の簡単な説明】
【図１】本発明を適用した電話システムの構成を示す図である。
【図２】プレゼンスサーバ１の構成を示す図である。
【図３】プレゼンスサーバ１の各データベースの構成を示す図である。
【図４】各データベースの設定の際の動作を説明するシーケンスである。
【図５】プロキシサーバ３に設けられたデータベースを示す図である。
【図６】プレゼンスサーバ１が継続的に行う処理のフローチャートである。
【図７】プレゼンスサーバ１が継続的に行う他の処理のフローチャートである。
【図８】接続要求を受けたプロキシサーバ３とプレゼンスサーバ１の動作を示すシーケンス図である。
【図９】従来の電話システムの動作説明図である。
【符号の説明】
１…プレゼンスサーバ
３…プロキシサーバ
１０１…ユーザデータベース
１０２…予定データベース
１０３…接続先データベース
１０４…グループデータベース
１０５…データベース設定部
１０６…認証部
１０７…プロキシ設定部
１０８…プレゼンス制御部
１０９…プレゼンス通知部
１１０…イベント受信部
１１１…接続先通知部
２１，２２，２３…電話機
Ａ…ユーザ
Ｂ…ユーザ
【図１】
2004304293.tif 000003
【図２】
2004304293.tif 000004
【図３】
2004304293.tif 000005
【図４】
2004304293.tif 000006
【図５】
2004304293.tif 000007
【図６】
2004304293.tif 000008
【図７】
2004304293.tif 000009
【図８】
2004304293.tif 000010
【図９】
2004304293.tif 000011